(57)【要約】【課題】本発明の目的は、ファン騒音を効果的に低減することができる電子機器を提供することである。【解決手段】筐体内部に設けられた発熱体（１９０）と、前記発熱体によって熱せられた前記筐体内部を冷却するファン（１３０）と、前記ファンから生ずる音を測定する測定手段（１４０）と、前記ファンと所定の間隔を隔てて設けられたスピーカ（１５０）と、前記測定手段の測定結果、前記所定の間隔及び利用者の位置に応じて、前記スピーカから出力される音が、前記ファンから生ずる音と逆位相になるように制御する制御手段（１８０）とを備える電子機器。【選択図】      図２
2005050952.tif 000002
【特許請求の範囲】
【請求項１】
筐体内部に設けられた発熱体と、
前記発熱体によって熱せられた前記筐体内部を冷却するファンと、
前記ファンから生ずる音を測定する測定手段と、
前記ファンと所定の間隔を隔てて設けられたスピーカと、
前記測定手段の測定結果、前記所定の間隔及び利用者の位置に応じて、前記スピーカから出力される音が、前記ファンから生ずる音と逆位相になるように制御する制御手段と
を備える電子機器。
【請求項２】
前記スピーカから出力される音は前記ファンから生ずる音と同振幅に制御されることを特徴とする請求項１記載の電子機器。
【請求項３】
前記スピーカは前記測定手段よりも前記利用者に近い場所に設けられることを特徴とする請求項１記載の電子機器。
【請求項４】
前記スピーカから出力される音は、前記ファンから生ずる音が前記所定の間隔分遅れることを考慮して制御されることを特徴とする請求項１記載の電子機器。
【発明の詳細な説明】
【０００１】
【発明の属する技術分野】
本発明は、ＣＰＵ（Ｃｅｎｔｒａｌ  Ｐｒｏｃｅｓｓｉｎｇ  Ｕｎｉｔ）などの発熱体を筐体内部に有する電子機器に関し、特に、この熱せられた筐体内部を冷却するためのファンを有する電子機器に関する。
【０００２】
【従来の技術】
ノート型パソコン（以下、ノートＰＣと称する）などの電子機器は、ＣＰＵなどの発熱体を筐体内部に搭載しているため、筐体内部の温度はかなりの高温になる。このため、筐体内部に冷却用のファンを搭載しているものが多い。
【０００３】
このような電子機器では、ファンの回転によって生じる音が騒音になるという問題がある。
このため、従来の電子機器では、騒音に対して逆位相かつ同振幅の音をぶつけて騒音を消去するアクティブ・ノイズ・キャンセル法（以下、ＡＮＣ法と称する）を用いている。そして、ダクトは、ファン騒音を放射面内の位相が同じモノポール音として筐体外部に向けて放射するために設けられている。また、ファン近傍に設けられたマイクロホン（以下、単にマイクと称する）がファン騒音を受音し、ファン近傍に設けられたマイクがファン騒音に対して逆位相、同振幅の音（以下、消去音と称する）をファン騒音に向けて放射し、この消去音によりファン騒音を３次元的に消去している（例えば特許文献１参照）。
【０００４】
【特許文献１】
特開平１０−２６８８７２号公報（第２〜５頁、図１及び２）
【０００５】
【発明が解決しようとする課題】
しかし、ファン騒音低減用のダクト及びスピーカをファンの近傍に設ける必要があるため、筐体の厚みが増してしまうという問題がある。
本発明の目的は、ファン騒音を効果的に低減することができる電子機器を提供することである。
【０００６】
【課題を解決するための手段】
第１の発明は、筐体内部に設けられた発熱体と、前記発熱体によって熱せられた前記筐体内部を冷却するファンと、前記ファンから生ずる音を測定する測定手段と、前記ファンと所定の間隔を隔てて設けられたスピーカと、前記測定手段の測定結果、前記所定の間隔及び利用者の位置に応じて、前記スピーカから出力される音が、前記ファンから生ずる音と逆位相になるように制御する制御手段とを備える電子機器である。
【０００７】
第２の発明は、前記スピーカから出力される音は前記ファンから生ずる音と同振幅に制御されることを特徴とする第１の発明記載の電子機器である。
第３の発明は、前記スピーカは前記測定手段よりも前記利用者に近い場所に設けられることを特徴とする第１の発明記載の電子機器である。
第４の発明は、前記スピーカから出力される音は、前記ファンから生ずる音が前記所定の間隔分遅れることを考慮して制御されることを特徴とする第１の発明記載の電子機器である。
【０００８】
【発明の実施の形態】
以下、本発明の実施の形態について図面を参照しながら説明する。
図１は本発明の実施形態に係るノートＰＣの外観を示す図であり、図２は本実施形態に係るノートＰＣの筐体１２０内部の概略構成図である。ノートＰＣは、ディスプレイ１１０と、キーボード１６０などを搭載した筐体１２０から構成されている。筐体１２０には、ＣＰＵなどの発熱部分１９０が内臓されているため、筐体内部を冷却するためのファン１３０が設けられている。マイク１４０は、ファン１３０の騒音を測定するために、ファン１３０の横側近傍に設けられるように筐体１２０に内臓されている。また、スピーカ１５０ａ，ｂはファン１３０から所定の間隔だけ離れた位置に内臓されている。
【０００９】
図３は、本実施形態に係るノートＰＣとその利用者との位置関係を説明するための図である。利用者１７０はディスプレイ１１０の方を向いて、キーボードなどを操作するため、通常、筐体１２０から一定の間隔だけ離れて利用する。したがって、ファン１３０とスピーカ１５０との間隔Ｙが設計によって定まるのみならず、ファン１３０と利用者１７０の耳までの距離Ｘもおおよそ定まり、例えば５０ｃｍ程度である。
【００１０】
図４は本実施形態に係るノイズキャンセルの原理を説明するための図であり、図５は本実施形態に係るノイズキャンセルのフローチャートである。ファン１３０で発生した騒音は周辺全体に響き渡り、距離Ｘ離れた利用者１７０の耳元へ到達する。マイク１４０はファン１３０の騒音を受音し（Ｓ５１０）、電気信号に変換して、プロセッサなどの制御部１８０へ出力する。制御部１８０はアナログ回路でも、マイクロコントローラでもかまわない。なお、図４ではファン１３０の上にマイク１４０が描かれているが、これは説明の便宜上であり、ファン１３０の横側近傍にマイク１４０を設置することによって筐体１２０の厚みを増さないようにすることができる。
【００１１】
制御部１８０は、ファン１３０から発生する騒音を利用者１７０が聞くの低減するために、ファン１３０とスピーカ１５０間の距離Ｙによる音の遅れ分を加味し、マイク１４０の音に対し、逆位相の音を生成するための電気信号を発生する（Ｓ５２０）。スピーカ１５０はこの電気信号を入力し、逆位相の音を出力する（Ｓ５３０）。
【００１２】
このようにすれば、スピーカ１５０からの音は、距離Ｚ離れた利用者１７０の位置でファン１３０からの音を打ち消しあい、騒音が低減する。このように、本実施形態では、従来のファン騒音の低減技術がダクトの出口でファン騒音全体を減らしているのとは異なり、ファンから生ずる音がスピーカから出力される音に対して距離Ｙ分遅れることを考慮して、利用者の位置でのノイズを低減している。したがって、ファン騒音全体を減らす必要が無いため、ファン近傍にノイズ低減専用のダクトは不要である。また、ノイズ低減専用のスピーカを設ける必要もなく、ノートＰＣの筐体に標準で搭載されているスピーカを使用できる。よって、筐体の厚みを増すことなく、利用者の位置でのファン騒音を低減できる。
【００１３】
なお、スピーカ１５０からの音はマイク１４０の音に対し逆位相であるが、さらに、同振幅にするとより効果的に騒音を低減することができる。
なお、マイク１４０とスピーカ１５０との距離Ｙが長いと、制御部１８０の処理に余裕が出るため、更なるフィルタ操作も可能となる。
上述した実施の形態は、本発明の好適な具体例であるから、技術的に好ましい種々の限定が付されているが、本発明の趣旨を逸脱しない範囲であれば、適宜組合わせ及び変更することができることはいうまでもない。
【００１４】
【発明の効果】
上述したように本発明によれば、ファン騒音を効果的に低減することができる電子機器を提供することができる。
【図面の簡単な説明】
【図１】本発明の実施形態に係るノートＰＣの外観を示す図。
【図２】本実施形態に係るノートＰＣの筐体１２０内部の概略構成図。
【図３】本実施形態に係るノートＰＣと利用者との位置関係を説明する図。
【図４】本実施形態に係るノイズキャンセルの原理を説明するための図。
【図５】本実施形態に係るノイズキャンセルのフローチャート。
【符号の説明】
１１０  ディスプレイ
１２０  筐体
１３０  ファン
１４０  マイク
１５０ａ，ｂ  スピーカ
１６０  キーボード
１７０  利用者
１８０  制御部
１９０  発熱部分（ＣＰＵなど）
【図１】
2005050952.tif 000003
【図２】
2005050952.tif 000004
【図３】
2005050952.tif 000005
【図４】
2005050952.tif 000006
【図５】
2005050952.tif 000007